(57)【要約】【課題】  イオンを広範囲に送達可能であり、フィルタ等を用いずとも噴出口近傍でのオゾン濃度が低められたイオン風を送風可能なイオン風発生装置を提供する。【解決手段】  放電部を有する放電電極体と複数個の端部を有する対向電極体とからなる電極対を備え、放電部と端部との間に電位差を発生させてコロナ放電によりイオン風を発生させるイオン風発生装置であって、複数個の端部は、単一の平面内において互いに離隔して位置し、かつ、平面内において放電電極体の軸線を周回して配置され、又は、平面内において直線状に沿って配置される。【選択図】  図１
2017183089.tif 000002
【特許請求の範囲】
【請求項１】
放電部を有する放電電極体と複数個の端部を有する対向電極体とからなる電極対を備え、前記放電部と前記端部との間に電位差を発生させてコロナ放電によりイオン風を発生させるイオン風発生装置であって、
前記複数個の端部は、単一の平面内において互いに離隔して位置し、かつ、前記平面内において放電電極体の軸線を周回して配置されるイオン風発生装置。
【請求項２】
前記複数個の端部は、一の円周上に沿って位置する請求項１に記載のイオン風発生装置。
【請求項３】
前記放電電極体は、針状電極体を有する請求項１に記載のイオン風発生装置。
【請求項４】
放電部を有する放電電極体と複数個の端部を有する対向電極体とからなる電極対を備え、前記放電部と前記端部との間に電位差を発生させてコロナ放電によりイオン風を発生させるイオン風発生装置において、
前記複数個の端部は、単一の平面内において互いに離隔して位置し、かつ、前記平面内において直線状に沿って配置されるイオン風発生装置。
【発明の詳細な説明】
【技術分野】
【０００１】
本発明は、コロナ放電によりイオン風を発生させる装置であり、より詳細には、オゾン濃度が低められたイオン風を送風可能な、イオン風発生装置である。また、ある側面では本発明は、ゴミ等の対象物を殺菌・消臭するための装置及び方法に関し、特に、対象物の配される空間とは別空間でコロナ放電を行い、イオンを発生させて対象物の配されている空間にイオン風を送給し、殺菌・消臭する装置及び方法に関する。より具体的に、本発明は、気密性の高いボックス、例えば、生ゴミやオムツ等汚物入れ、生ごみ処理機の処理臭・靴・ブーツ等や収納する為のボックス・トイレ及びトイレタンク、気密性の高い冷凍・冷蔵装置付のコンテナ及び冷凍・冷蔵装置付車両、冷蔵庫、室内・車両内の空調装置等に装着し殺菌・消臭を目的とした環境装置に関するものである。
【背景技術】
【０００２】
高齢化社会に伴い、要介護人口と比例してオムツ等の汚物入れの需要も高くなっているが、開放の都度、悪臭を放つ為、介護人及び周囲への負担や不快感がある上に不衛生である。また、各家庭や飲食店等には生ゴミの保管ボックスも存在しているが、開放の都度、雑菌増殖に伴い悪臭を放つ為、主婦等・従事者の負担が大きい。生ゴミ処理機もバイオ技術の成長に伴い増加しているが稼働中は処理機周辺に放つ悪臭が非常に問題となっている。加えて、海外・国内の冷凍・冷蔵・常温品等の物流には輸送用コンテナ及びトラック等での輸送が主流であり空調装置付海上コンテナ・陸上コンテナ・コンテナ型トラック等が多数あるが、積載貨物品の残臭・空調装置内のカビ臭が問題となっている。更に、倉庫・冷蔵庫・室内・車両等の空調装置も、保管物質等使用状況によって臭気が問題となっている。
【０００３】
ここで、上記問題の一解決手法として、従来からスプレー式等、簡易型の殺菌消臭剤が提案されている。しかしながら、汚物入れや生ゴミの保管ボックスに使用した場合、当該容器を開放した時に悪臭を放つのが現状である。また、空調装置に使用（例えば散布や循環殺菌方式）した場合、空調装置内部に洗浄出来ない部位、又は洗浄しても異臭・カビ臭が残った場合、次期積載貨物に臭気が移る等、問題となっている。更に、別の解決手法として、殺菌消臭の対象となる空間から空気を吸引してフィルタにより汚染物質を吸着若しくは除去する方法や高価な悪臭除去触媒が提案されている。しかしながら、長期の使用によりフィルタの交換等のメンテナンスが不可欠であり、しかもフィルタの性能が十分でないため、満足のいく性能が得られていない場合や例え性能が良くても大型で高価な触媒本体、更には維持・管理費が高額な場合が多い。
【０００４】
ところで近年、室内の空気清浄やリフレッシュのためにマイナスイオンやオゾンを発生する空気清浄機やエアコンなどが普及している。そして、消臭効果のあるマイナスイオンとオゾンとを同時発生させるマイナスイオン・オゾン発生装置を用いて対象空間を消臭等する技術が多数提案されている。
【０００５】
まず、特許文献１に係るマイナスイオン・オゾン発生装置は、部屋の天井に取り付けることを想定した装置であり、正電極が負電極より下方に位置するように配されていることを特徴とする。これによれば、ファンやモータを用いなくてもマイナスイオンとオゾンを含んだ下向きの気流を発生させることができる。
【０００６】
次に、特許文献２に係るマイナスイオン・オゾン発生装置は、先端が針状のマイナス電極と、それに平行して同心円状に設置された円筒型のグランド電極を備え、マイナス電極とグランド電極を相対的に移動可能とし、マイナス電極に高電圧を印加して、マイナス電極の先端部とグランド電極の端面との距離を調整することによりマイナスイオン又はオゾンを発生することを特徴とする。
【０００７】
次に、特許文献３に係るマイナスイオン・オゾン発生装置は、針電極とアース電極間に直流高電圧を印加して針電極尖端部でコロナ放電を生起させ、オゾン及びマイナスイオンを発生させる装置である。
【０００８】
次に、特許文献４に係るマイナスイオン・オゾン発生装置は、周囲に立上部を有した穴を１カ所又は複数箇所備えた金属板からなる正電極を有し、負電極の先端が前記正電極の穴近傍に位置していることを特徴とする。このように構成することで、放電により十分な気流が生じるため、ファン，ポンプ等の送風装置を別途使用しなくても発生したマイナスイオンとオゾンを空間内に拡散させる気流を発生させることができる。
【０００９】
特許文献１〜４に係る発明は、イオン及びオゾンを発生させて対象物に適用することが記載されているが、これらの技術は例えばごみ箱の内部などの殺菌又は脱臭の対象となる空間内に配して放電することを前提とする。例えば、ごみ箱の中であれば、悪臭を放つ有機物が微生物により分解されてメタンガス等、引火性ガスを生成する場合があり、このような状況下で放電を行なうと、火花の発生によって火災や爆発が起こる危険性がある。
【００１０】
そこで、このような危険性を取り除くために、対象物の配された空間外で放電を行ないイオン・オゾンを発生させて、対象物の配された空間内にこれらの生成物を導入する外付け型殺菌・消臭装置の開発が検討されている（特許文献５）。
【先行技術文献】
【特許文献】
【００１１】
【特許文献１】実用新案登録第３１００７５４号
【特許文献２】特開２００３−３４２００５号公報
【特許文献３】特開２００４−１８３４８号公報
【特許文献４】特開２００５−１３８３１号公報
【特許文献５】実用新案登録第３１５５５４０号
【発明の概要】
【発明が解決しようとする課題】
【００１２】
しかしながら、特許文献１〜５に係る発明では、イオン及びオゾンを発生させることはできるが、当該発生させたイオンを部屋全体に行き亘らせるよう構成することが困難であった。より具体的には、これらの技術では、当該発生させたイオン及びオゾンを含むイオン風の風力自体が弱いものであり、イオン及びオゾンを部屋全体に行き亘らせるためには、別途送風機等を設けてイオン風を後押しする必要性があり、その結果、イオン風を後押しすることができる一方で、イオン風中に含まれるイオンが希釈されてしまうという難点がある。更に、これらの技術においては、噴出口の近傍においてオゾン濃度が高くなる場合があるため、当該装置にてイオン風を発生させた際に同時に発生するオゾンによって、装置近傍の物品を意図せず漂白してしまう場合等があった。このような場合、オゾン濃度を低下させる手段としては、フィルタ等を用いる方法が提案されているが、イオン風中のイオン濃度をも低下させてしまう、フィルタの交換が必要となる、といった問題があった。
【００１３】
本発明は、このような観点から成されたものであり、イオンを広範囲に送達可能であり、フィルタ等を用いずとも噴出口近傍でのオゾン濃度が低められたイオン風を送風可能な、イオン風発生装置の提供を目的とする。
【課題を解決するための手段】
【００１４】
本発明によるイオン風発生装置の実施態様は、
放電部を有する放電電極体と複数個の端部を有する対向電極体とからなる電極対を備え、前記放電部と前記端部との間に電位差を発生させてコロナ放電によりイオン風を発生させるイオン風発生装置であって、
前記複数個の端部は、単一の平面内において互いに離隔して位置し、かつ、前記平面内において放電電極体の軸線を周回して配置される、又は、前記平面内において直線状に沿って配置されることである。
【００１５】
複数個の端部は、単一の平面内において互いに離隔して配置される。さらに、複数個の端部は、平面内において放電電極体の軸線を周回して配置されるか、直線状に沿って配置される。このため、放電電極体は、複数個の端部との間で選択的に放電が生ずるようにでき、オゾン濃度を調整してイオン風を送風することができる。
【発明の効果】
【００１６】
イオンを広範囲に送達可能で、フィルタ等を用いずとも噴出口近傍でのオゾン濃度が低められたイオン風を送風できる。
【図面の簡単な説明】
【００１７】
【図１】第１の実施の形態によるイオン風発生装置１１０の概略を示す斜視図である。
【図２】対向電極体２１０の構成を示す正面図である。
【図３】対向電極体２２０の構成を示す正面図である。
【図４】対向電極体２３０の構成を示す正面図である。
【図５】対向電極体２４０、２５０及び２６０の構成を示す正面図である。
【図６】対向電極体２７０の構成を示す正面図である。
【図７】対向電極体２８０の構成を示す正面図である。
【図８】対向電極体２９０及び３００の構成を示す正面図である。
【図９】対向電極体３１０の構成を示す正面図である。
【図１０】対向電極体３２０の構成を示す正面図である。
【図１１】対向電極体３３０の構成を示す正面図である。
【図１２】対向電極体３４０の構成を示す正面図である。
【図１３】対向電極体３５０、３６０、３７０及び３８０の構成を示す正面図である。
【図１４】対向電極体３９０、４００、４１０及び４２０の構成を示す正面図である。
【図１５】対向電極体４３０の構成を示す正面図である。
【図１６】対向電極体４４０、４５０及び４６０の構成を示す正面図である。
【図１７】対向電極体４７０及び４８０の構成を示す正面図である。
【図１８】対向電極体５００及び５１０の構成を示す正面図である。
【図１９】内側端部２１６が鋭角に形成されている場合を示す部分正面図である。
【図２０】内側端部２１６が凸状に湾曲した形状を有する場合を示す部分正面図である。
【図２１】内側端部２１６が平坦面である場合を示す部分正面図である。
【図２２】内側端部２１６が凹状に湾曲した形状である場合を示す部分正面図である。
【図２３】対向電極体６１０の構成を示す正面図である。
【図２４】対向電極体６２０の構成を示す正面図である。
【図２５】対向電極体６３０の構成を示す正面図である。
【図２６】対向電極体７００及び７１０の構成を示す正面図である。
【発明を実施するための形態】
【００１８】
＜＜＜本発明の実施の態様の概要＞＞＞
本発明の実施の態様によれば、
放電部を有する放電電極体（例えば、後述する放電電極体１５０〜１７０など）と複数個の端部を有する対向電極体（例えば、後述する対向電極体２１０〜５１０、６１０〜６３０など）とからなる電極対を備え、前記放電部と前記端部との間に電位差を発生させてコロナ放電によりイオン風を発生させるイオン風発生装置であって、
前記複数個の端部（例えば、後述する内側端部２１６など）は、単一の平面内において互いに離隔して位置し、かつ、前記平面内において放電電極体の軸線（例えば、後述する軸線Ｘなど）を周回して配置されるイオン風発生装置が提供される。
【００１９】
＜＜イオン風発生装置＞＞
イオン風発生装置は、放電電極体と対向電極体と有する。放電電極体は、放電極として機能し、放電部を有する。対向電極体は、受電極として機能し、複数個の端部を有する。
【００２０】
＜コロナ放電の発生＞
放電電極体の放電部と対向電極体の端部との間に電位差を発生させ、電位差によってコロナ放電を起こし、イオン風を発生させる。電位差によって、コロナ放電が起こりやすい電場を形成するのが好ましい。例えば、放電電極体の放電部と対向電極体の端部との相対的な位置や距離や、放電部の形状や端部の形状や、放電部と端部との間の電位差などによって、コロナ放電が起こりやすい電場を形成することができる。このコロナ放電によりオゾンが発生する。
【００２１】
＜放電電極体＞
上述したように、放電電極体は、放電極として機能し、放電部を有する。さらに、放電電極体は、所定の方向に沿って延在する軸線を画定できる形状や配置や数を有すればよい。例えば、放電電極体が長尺な形状を有する場合（後述する図１参照）には、長手方向を軸線の方向にすればよい。また、放電電極体が対称性を有する場合には、対称軸を放電電極体の軸線とすることができる。対称性は、線対称や点対称や回転対称などにすることができる。例えば、円板状の形状や環状の形状を有する場合（後述する図２３〜図２５参照）には、中心や重心を通過するとともに円板や環が含まれる平面に対して垂直に延在する軸を軸線にすればよい。
【００２２】
さらに、軸線は、放電電極体の中心などを通過する必要はなく、偏った位置に存在する軸であっても、放電電極体の外形や配置の特徴と関連する軸であればよい。
【００２３】
このように、放電電極体は、軸線を画定できる形状や配置を有すればよく、特定の形状や数などに限定されない。
【００２４】
＜対向電極体＞
対向電極体は複数個の端部を有する。複数個の端部は単一の平面内に配置される。対向電極体の全体が単一の平面内に配置される必要はなく、複数個の端部のみが単一の平面内に含まれて配置されればよい。複数個の端部を単一の平面内に配置することで、複数個の端部のいずれの端部でもコロナ放電が生じ、対向電極体の全体として放電効率を高めることができる。
【００２５】
複数個の端部が単一の平面内に配置されればよく、対向電極体の全体の形状については適宜に定めることができる。すなわち、対向電極体の全体の形状が平坦である必要はなく、対向電極体が立体的に凹凸を有する形状であってもよく、複数個の端部が単一の平面内に含まれればよい。さらに、放電電極体も、この平面内に含まれている必要はなく、複数個の端部が含まれる平面と異なる位置に放電電極体を配置することができる。また、放電電極体の全体の形状も平坦である必要はない。
【００２６】
対向電極体の複数個の端部は、互いに離隔するように配置され、かつ、放電電極体の軸線を周回するように配置される。上述したように、放電電極体の軸線は、放電電極体の外形や配置の特徴と関連する軸であればよい。複数個の端部を離隔するように配置することで、互いに離隔する端部でコロナ放電を選択的に生じやすくして、オゾンを間欠的に生じさせることができる。対向電極体の全体として発生するオゾンの濃度を抑えることができる。
【００２７】
複数個の端部は、放電電極体の軸線を周回するように離隔して配置されればよく、必ずしも一定の円周状や円弧状に沿って配置される必要はない。さらに、複数個の端部は、等間隔（等距離や等角度）ごとに配置される必要もない。
【００２８】
なお、複数個の端部を、一定の半径を有する円周状に配置した場合には、複数個の端部の全てと放電電極体との間の距離を等しくでき、複数個の端部の全てでコロナ放電が均等に生ずるようにでき、対向電極体の全体として放電効率を高めることができる。
【００２９】
＜複数個の端部及び非端部＞
さらに、対向電極体は、複数個の端部と、端部とは異なる非端部とを有する。複数個の端部は、非端部よりも突出して放電電極体の放電部に近い位置に配置される。すなわち、複数個の端部と放電部との距離が、非端部と放電部との距離よりも短くなるように、複数個の端部と非端部とが配置される。
【００３０】
端部は、例えば、後述する内側端部２１６などがある。
【００３１】
非端部は、対向電極体のうちの端部とは異なる部分であればよい。例えば、非端部として、後述する外周部２１２のほかに、突起部材２１４（２１４ａ、２１４ｂ、２１４Ｓ、２１４Ｌ）、２７４（２７４ａ、２７４ｂ）、３３４、３５４、３６４、３７４（３７４ａ、３７４ｂ）、３８４、３９４、４０４、４１４、４２４、４３７ａ、４７７ａなどの半径方向の部分がある。
【００３２】
複数個の端部を放電部に近づけて配置することにより、非端部よりも複数個の端部でコロナ放電が積極的に生ずるようにできる。このように、対向電極体において、コロナ放電が生じやすい複数個の端部と、コロナ放電が生じにくい非端部とを形成することができる。すなわち、複数個の端部でコロナ放電を生じやすくし、非端部では、コロナ放電を生じにくくする。したがって、複数個の端部では、コロナ放電が生じやすいので、オゾンも発生しやすい。一方、非端部では、コロナ放電が生じにくいので、オゾンも発生しにくくできる。このように、放電電極体において、オゾンが発生しやすい箇所とオゾンが発生しにくい箇所とを選択的に形成することで、オゾンを間欠的に生じさせたり、オゾンの濃度の濃淡を調整したりでき、対向電極体の全体として発生するオゾンの濃度を定めることができる。
【００３３】
＜近位部及び遠位部＞
上述したように、コロナ放電の生じやすさを、放電電極体の放電部との距離によって制御することができる。言い換えれば、複数個の端部を放電部に近い近位部にするとともに、非端部を端部よりも放電部から離れた遠位部にするように放電電極体を構成することができる。
【００３４】
＜端部及び非端部の形状＞
さらに、コロナ放電の生じやすさを、放電電極体の放電部との距離によって制御するほか、端部の形状によっても定めることができる。例えば、複数個の端部を軸線に向かって尖った形状にすることで、端部の周囲でコロナ放電が生じやすい電場を形成することができ、コロナ放電を端部で生じさせやすくできる。これに対して、非端部を滑らかな形状にすることで、コロナ放電を非端部で生じさせにくくすることもできる。
【００３５】
＜非端部におけるコロナ放電＞
上述したように、非端部は、端部に比べると放電電極体から離れた位置に配置され、コロナ放電が生じにくい。しかしながら、コロナ放電が全く生じないわけではなく、非端部のうちの端部に近い部分は、放電電極体との距離が比較的に近く、コロナ放電が生じやすい。このため、非端部でもコロナ放電が生じさせることで、イオン風の量を補完することができ、放電電極体の全体で生ずるイオン風の量を維持することができる。
【００３６】
例えば、非端部が、放電電極体から徐々に離れるような部分（例えば、後述する突起部材２１４（２１４ａ、２１４ｂ、２１４Ｓ、２１４Ｌ）、２７４（２７４ａ、２７４ｂ）、３３４、３５４、３６４、３７４（３７４ａ、３７４ｂ）、３８４、３９４、４０４、４１４、４２４、４３７ａ、４７７ａなどの半径方向の部分など）の場合には、端部に近い箇所ではコロナ放電が生じやすく、放電電極体から徐々に離れるに従って、コロナ放電が生じにくくなる。このような場合でも、端部に近い箇所ではコロナ放電が生じやすく、イオン風を発生させることができ、イオン風の量を補完することができる。
【００３７】
＜複数個の端部を直線状に沿って配置する場合＞
また、複数個の端部（例えば、後述する内側端部６１６など）を、単一の平面内において互いに離隔して位置し、かつ、直線状（例えば、後述する仮想直線Ｌなど）に沿って配置するようにしてもよい。複数個の端部を直線状に沿って離隔して配置する場合も、複数個の端部を放電電極体（例えば、後述する放電電極体１６０や１７０など）の放電部に近い位置に配置し、端部とは異なる非端部を放電電極体の放電部から離れた位置に配置する。このように構成することで、非端部よりも複数個の端部でコロナ放電が選択的に生ずるようにでき、オゾンを間欠的に生じさせて、対向電極体（例えば、後述する対向電極体６１０〜６３０など）の全体として発生するオゾンの濃度を抑えることができる。
【００３８】
この場合も、対向電極体の全体が単一の平面内に配置される必要はなく、複数個の端部のみが単一の平面内に含まれて配置されればよい。複数個の端部を単一の平面内に配置することで、複数個の端部のいずれの端部でもコロナ放電が生じ、対向電極体の全体として放電効率を高めることができる。
【００３９】
また、複数個の端部が単一の平面内に配置されればよく、対向電極体の全体の形状については適宜に定めることができる。すなわち、対向電極体の全体の形状が平坦である必要はなく、対向電極体が立体的に凹凸を有する形状であってもよく、複数個の端部が単一の平面内に含まれればよい。さらに、放電電極体も、この平面内に含まれている必要はなく、複数個の端部が含まれる平面と異なる位置に放電電極体を配置することができる。また、放電電極体の全体の形状も平坦である必要はない。
【００４０】
＜非端部におけるコロナ放電＞
上述したように、非端部は、端部に比べると放電電極体から離れた位置に配置され、コロナ放電が生じにくい。しかしながら、コロナ放電が全く生じないわけではなく、非端部のうちの端部に近い部分は、放電電極体との距離が比較的に近く、コロナ放電が生じやすい。このため、非端部でもコロナ放電が生じさせることで、イオン風の量を補完することができ、放電電極体の全体で生ずるイオン風の量を維持することができる。
【００４１】
例えば、非端部が、放電電極体から徐々に離れるような部分（例えば、後述する突起部材６１４やなどの半径方向など）の場合には、端部に近い箇所ではコロナ放電が生じやすく、放電電極体から徐々に離れるに従って、コロナ放電が生じにくくなる。このような場合でも、端部に近い箇所ではコロナ放電が生じやすく、イオン風を発生させることができ、イオン風の量を補完することができる。
【００４２】
＜＜＜イオン風発生装置の説明＞＞＞
以下、本発明に係るイオン風発生装置の詳細な構造について説明する。尚、以下に示す例示はあくまで一例であり、本明細書中にて一例として挙げている実施の形態や変更例は、特定のものに対して適用されると限定的に解すべきでなく、どのような組み合わせであってもよい。例えば、ある実施の形態についての変更例は、別の実施の形態の変更例であると理解すべきであり、また、ある変更例と別の変更例が独立して記載されていたとしても、当該ある変更例と当該別の変更例を組み合わせたものも記載されていると理解すべきである。
【００４３】
また、本明細書中において、「電極体」と「電極」とを区別せずに使用する場合がある。
【００４４】
＜＜＜第１の実施の形態＞＞＞
図１に示すように、第１の実施の形態のイオン風発生装置１１０は、放電電極体１５０と、対向電極体２１０〜５１０のいずれかとからなる電極対を備える。放電電極体１５０と、対向電極体２１０〜５１０のいずれも、金属などの導電体によって構成されている。第１の実施の形態のイオン風発生装置１１０は、対向電極体２１０〜５１０のいずれかの１つの対向電極体を選択して構成することができる。対向電極体２１０〜５１０の各々は、図２〜図１８に示す形状を有する。
【００４５】
第１の実施の形態のイオン風発生装置１１０のイオン風発生の原理は、既存のイオン風発生装置と同様である。即ち、放電電極体１５０と対向電極体２１０〜５１０との間に電位差が発生することにより、これらの電極体間でコロナ放電が生じる。コロナ放電時には、放電電極体１５０から放出されるイオンが、対向電極体２１０〜５１０へ向かって泳動する、その泳動の際に空気分子との衝突を繰り返し、放電電極体１５０から対向電極体２１０〜５１０に向かうイオンを含む空気流、即ちイオン風が形成される。
【００４６】
本実施の形態では、図２〜図１８に示すように、対向電極体２１０〜５１０を特定の構成とする。コロナ放電の発生の頻度や分布を制御するとともに、コロナ放電によって生ずる空気の流れを制御することで、イオン風の風量を担保しつつ、イオン風に含まれるオゾン濃度を低減させることができる。
【００４７】
以下、本発明の対向電極体２１０〜５１０及び放電電極体１５０の具体的な構成について説明する。
【００４８】
第１の実施の形態のイオン風発生装置１１０は、対向電極体２１０〜５１０のいずれかの１つの対向電極体を選択して構成することができる。ここでは、代表的に対向電極体２１０で説明する。
【００４９】
本発明の対向電極体２１０の外形は、全体的におおよそ環状又は円形状の形状を有する。対向電極体２１０は、複数個の突起部材２１４を有する。突起部材２１４の各々は、対向電極体２１０の環中心に最も近い位置に内側端部２１６を有する。したがって、対向電極体２１０において、複数個の内側端部２１６が単一の平面内において互いに離隔して配置され、かつ、当該単一の平面内において放電電極体１５０の軸線Ｘを周回して配置されている。本発明の対向電極体２１０は、金属などの導電体によって形成されている。
【００５０】
対向電極体２１０は、環状の外周部２１２を有している。本実施の形態では、環状とは、周回する形状であればよく、曲線のみや直線や曲線の組み合わせや直線と曲線と組み合わせなどによって外形を画定できるものであればよい。対向電極体２１０は、複数個の突起部材２１４を有する。複数個の突起部材２１４は、対向電極体２１０の外周部２１２に設けられ、対向電極体２１０の中心Ｏに向かって延在する。なお、本実施の形態では、対向電極体２１０の中心Ｏは、放電電極体１５０の軸線Ｘ上に位置し、放電電極体１５０の軸線Ｘに含まれる。
【００５１】
複数個の突起部材２１４の各々は、外周部２１２と電気的に接続され、等電位となるよう構成されている。複数個の突起部材２１４のいずれかが外周部２１２と電気的に接続されていればよい。以下、対向電極体２１０〜５１０の具体例について説明する。
【００５２】
＜＜第１種の対向電極体＞＞
図２〜図５は、第１種の対向電極体２１０〜２６０を示す正面図である。第１種の対向電極体２１０〜２６０の突起部材２１４は、いずれも単一の線状の形状を有する。
【００５３】
図２に示すように、対向電極体２１０は、円環状の外周部２１２を有する。本実施の形態では、環状や円環状とは、輪の形をした形状をいい、半径が互いに異なる２つの同心円によって囲まれた領域の形状をいう。例えば、図２に示す対向電極体２１０は、１６本の突起部材２１４が、対向電極体２１０の半径又は直径方向に沿って形成されている。１６本の突起部材２１４の各々の長手方向の長さは、同一の長さであり、線状の形状を有する部材である。尚、線状とは直線状の形状をいう。また、突起部材２１４は、対向電極体２１０の外周部２１２と最も近い位置に外側端部２１８を有する。外側端部２１８は外周部２１２に沿って、等角度間隔を有して（均等に）配置されている。全ての外側端部２１８が、外周部２１２と電気的に接続されている必要はなく、一部の外側端部２１８が電気的に接続されて、外周部２１２と等電位になればよい。
【００５４】
複数個の突起部材２１４は、内側端部２１６が互いに離隔して同一平面内に位置するように配置されている。また、隣り合う内側端部２１６を仮想的に滑らかに結ぶことで、対向電極体２１０の中心部に、対向電極体２１０と同一平面内に仮想円Ｃが形成される。
【００５５】
内側端部２１６は、対向電極体２１０と同一平面上にて、放電電極体１５０の軸線Ｘを周回するように配置されている。換言すれば、放電電極体１５０の軸線Ｘが、対向電極体２１０の仮想円Ｃが延在する平面とが垂直となるよう構成されている。仮想円Ｃの中心から、１６個の内側端部２１６の各々までの距離はすべて均一となっている。このような構成とすることにより、放電電極体１５０から対向電極体２１０へ放電する場合には、放電電極体１５０と１６個の内側端部２１６との各々で間欠的（選択的）にコロナ放電が生じ、コロナ放電によって発生するイオン風は、軸線Ｘに沿った方向に送風される。
【００５６】
放電電極体１５０と１６個の内側端部２１６との間でコロナ放電を選択的に生じさせることで、オゾンを間欠的に発生させ、発生するオゾンの量を少なくして、全体としてオゾンの濃度を低くすることができる。
【００５７】
また、内側端部２１６の形状が、鋭利になる従って、コロナ放電が発生しやすい電場を形成することができ、内側端部２１６から発せられるイオンの風量を多くできる。換言すれば、内側端部２１６の形状が先細になる程、内側端部２１６の形状が平面である場合に比べてコロナ放電が発生しやすくなる。
【００５８】
ここで、内側端部２１６の個数は特に限定されず、用途等に応じて適宜変更可能である。例えば、図８Ａ及び図８Ｂに示すように、８個の突起部材２１４を有する対向電極体２９０及び３００を用いることも可能となる。即ち、図２並びに図８Ａ及び図８Ｂに示されるような、複数本の線状の突起部材２１４を有する対向電極体２１０、２９０及び３００を用いる場合には、線状の突起部材２１４の数は特に限定されない。
【００５９】
なお、コロナ放電を発生させやすくするためには、少なくとも２本以上の線状の突起部材２１４を設けるのが好ましい。さらに、内側端部２１６を仮想的に滑らかに結んで仮想円Ｃを形成するためには、３本以上の突起部材２１４を設けることが好ましい。なお、仮想円Ｃの中心から内側端部２１６までの距離、即ち、仮想円Ｃの径については限定されない。また、用途に応じて、突起部材２１４の長さや数を適宜に変更することができる。外周部２１２の半径の長さについても特に限定されない。
【００６０】
また、図３に示すように、突起部材２１４が、外周部２１２に沿って、等角度間隔を有して（均等に）配置されていなくともよい。図３に示す対向電極体２２０では、２本の突起部材２１４ａ及び２１４ｂを対にしており、対になる２本の突起部材２１４ａ及び２１４ｂが互いに平行となるように、外周部２１２に沿って配置されている。対となる２本の突起部材２１４ａ及び２１４ｂからなる８つの突起部材群が外周部２１２に、等角度間隔を有して（均等に）配置される。したがって、図３に示す対向電極体２２０では、合計１６個の突起部材２１４が設けられる。
【００６１】
なお、図３に示す対向電極体２２０では、２本の突起部材２１４ａ及び２１４ｂを１組の突起部材群としているが、これには限定されず、３本以上の突起部材２１４ａ、２１４ｂ及び２１４ｃを１組の突起部材群としてもよい。また、突起部材群の数も限定されない。更には、一部の突起部材２１４のみが突起部材群を形成し、残りの突起部材２１４は突起部材群を形成しないように構成してもよい。このように、複数の突起部材２１４の各々が外周部２１２に沿って等角度間隔を有して（均等に）配置されていなくとも、長手方向の長さが等しい突起部材２１４の内側端部２１６の組み合わせによって仮想円Ｃを形成することができる。
【００６２】
さらに、上述した図２及び図３では、突起部材２１４の全ての内側端部２１６が、放電電極体１５０の軸線Ｘを周回するように、等角度間隔に配置されている例を示したが、これには限定されない。例えば、図４に示す対向電極体２３０では、８本の突起部材２１４が対向電極体に配置されている。８本の突起部材２１４のうちの４本の突起部材２１４Ｌの長手方向の長さが同一であり、残りの４本の突起部材２１４Ｓの長手方向の長さは突起部材２１４Ｌよりも短く構成されている。このように構成しても、４本の長い突起部材２１４Ｌの内側端部２１６により仮想円Ｃを形成することができる。
【００６３】
また、図２〜図４では、対向電極体２１０、２２０及び２３０の外周部２１２の形状を円環状としたが、これには限定されない。例えば、図５Ａに示すように、対向電極体２４０の外形を八角形状にしたり、図５Ｂに示すように、対向電極体２５０の外形を十角形状にしたり、図５Ｃに示すように、対向電極体２６０の外形を十二角形状にしたりすることができる。外周部２１２の形状を各種の環状の多角形の形状にすることができる。また、
図５Ａ、図５Ｂ及び図５Ｃに示した例では、突起部材２１４を多角形の頂点から中心に向かって延在するように配置したが、これには限定されず、多角形の辺から中心に向かって延在するように配置してもよい。
【００６４】
＜＜第２種の対向電極体＞＞
上述した図２〜図５に示した第１種の対向電極体２１０〜２６０は、線状の形状を有する突起部材２１４を有する場合について説明した。突起部材２１４の形状は、外周部２１２と等電位になりかつ内側端部２１６を有すれば、線状には限定されず、他の形状を有してもよい。以下にその他の形状の例を説明する。
【００６５】
図６に示す対向電極体２７０には、複数の板状の突起部材２７４が設けられている。複数の板状の突起部材２７４の各々は、円環の形状を有する外周部２１２の中心Ｏ（軸心Ｘ）に向かって延在する。図６に示す例では、対向電極体２７０は、１６本の突起部材２７４を有し、突起部材２７４の各々は板状で扇形状の形状を有する。
【００６６】
線状の形状を有する突起部材２１４と同様に、内側端部２１６は、外周部２１２から対向電極体２７０の中心Ｃ（軸心Ｘ）に向かって延在する。内側端部２１６の頂点２７９を仮想的に滑らかに結ぶことで、仮想円Ｃが形成される。
【００６７】
内側端部２１６の頂点２７９は、鋭角に形成されている。放電電極体１５０と頂点２７９との間でコロナ放電が生じやすい電場を形成することができる。１６本の突起部材２７４は外周部２１２に沿って等角度間隔を有して（均等に）配置され、１６本の突起部材２７４の各々は外周部２１２に沿って離隔して設けられている。
【００６８】
対向電極体２７０の突起部材２７４の数を変更しても問題なく、また、内側端部２１６の形状を変更しても問題ない。例えば、図７に示す対向電極体２８０は、８本の突起部材２７４が設けられ、かつ、内側端部２１６の形状が鋭角に形成されていない。即ち、図７に示す突起部材２７４は、扇形状の突起部材２７４の頂点の近くを直線で切断した形状を有する。尚、図７に示すような内側端部２１６の形状が鋭角に形成されていない場合には、突起部材２７４の内側端部２１６の２つの角を含むように仮想的に滑らかに結ぶことによって、対向電極体２８０の中心部に、対向電極体２８０と同一平面内に含まれる仮想円Ｃを形成できる。
【００６９】
また、板状の突起部材２７４の形状は変更してもよく、例えば、図８Ａに示す対向電極体２９０や図８Ｂに示す対向電極体３００に示すように、突起部材２７４を長方形状の形状にしてもよい。突起部材２７４の短手方向の長さ、即ち、太さや幅は適宜に変更できる。対向電極体２９０の突起部材２７４の太さは、対向電極体３００の突起部材２７４の太さよりも太く形成されている。
【００７０】
また、図９に示すように、突起部材２７４の形状として、外周部２１２から対向電極体３１０の中心Ｃ（軸心Ｘ）に向かって、内側端部２１６の太さが徐々に細くなるようにし、内側端部２１６の先端が角を有しない形状にしてもよい。特に、図９に示すように、内側端部２１６の最先端部が湾曲して丸みを有する形状にしてもよい。
【００７１】
さらに、図１０に示すように、突起部材２７４の形状として、線状である突起部材２７４ａと板状である突起部材２７４ｂとを組み合わせてもよい。このように構成した場合にも、突起部材２７４が有する端部の角を仮想的に滑らかに結ぶことによって、対向電極体３２０の中心部には、対向電極体３２０と同一平面上に仮想円Ｃを形成できる。
【００７２】
上述した例では、隣り合う突起部材２１４や２７４が互いに離隔するように配置された場合を示した。図１１に示す対向電極体３３０のように、隣り合う突起部材３３４の一部が互いに接続されるように形成してもよい。例えば、図１１に示すように、扇形状の突起部材３３４が外周部２１２で互いに隣接して配置されるよう構成してもよい。そのような場合にも、隣接する内側端部２１６を滑らかに結ぶことで、対向電極体３３０の中心部には、対向電極体３３０と同一平面上に仮想円Ｃが形成される。
【００７３】
また、図１２に示す対向電極体３４０のように、突起部材３３４の数や形状を変更してもよい。例えば、板状の突起部材の数を図１２に示すように、図１１の対向電極体３３０よりも多くしてもよい。なお、内側端部２１６の数が多いほど、内側端部２１６の頂点を仮想的に曲線で結んだ際に形成される空間の形状が、より円（仮想円Ｃ）に近づくようにできる。
【００７４】
この第２種の対向電極体では、対向電極体２７０〜３４０における内側端部２１６と、放電電極体１５０との間でコロナ放電が発生すると、対向電極体２７０〜３４０の内側端部２１６で発生したイオン風は、対向電極体２７０〜３４０における放電電極体１５０と対向しない側に放出され、対向電極体２７０〜３４０における放電電極体１５０と対向しない側に負圧が発生する。負圧が発生した空間に向かって、対向電極体２７０〜３４０の周囲を取り巻く空気が吸引され、吸引された空気によって、対向電極体２７０〜３４０における放電電極体１５０と対向しない側に押し出されるイオン風の風力を増大させることができる。
【００７５】
＜＜第３種の対向電極体＞＞
上述した図２〜図５に示した対向電極体２１０〜２６０では、単一の線状の突起部材２１４が設けられた場合を示した。これに対して複数の線状の部材を連結した形成した突起部材を用いた対向電極体としてもよい。複数の線状の部材を連結することで、図１３〜図１４に示すように、板状の突起部材の内部をくりぬかれて、複数の線状の部材に囲まれた空間が形成されたような突起部材を有する対向電極体としてもよい。
【００７６】
以下では、このような突起部材の形状をくりぬいた板状と称する。図１３Ａ〜図１３Ｄに示すような対向電極体３５０〜３８０の突起部材の形状にすることができる。
【００７７】
図１３Ａに示す対向電極体３５０の突起部材３５４は、輪郭が略台形状であり、略台形状の板をくりぬいたり、３つの線状の部材を組み合わせたりして形成することができる。４つの突起部材３５４が９０度ごとに外周部２１２に配置される。
【００７８】
図１３Ｂに示す対向電極体３６０の突起部材３６４は、輪郭が略直方形状であり、略直方形状の板をくりぬいたり、３つの線状の部材を組み合わせたりして形成することができる。８つの突起部材３６４が４５度ごとに外周部２１２に配置される。
【００７９】
図１３Ｃに示す対向電極体３７０の突起部材３７４は、輪郭が略台形状の突起部材３７４ａと線状の突起部材３７４ｂとからなる。４つの突起部材３７４ａと４つの突起部材３７４ｂとが交互に外周部２１２に配置される。略台形状の突起部材３７４ａは、略台形状の板をくりぬいたり、３つの線状の部材を組み合わせたりして形成することができる。８つの突起部材３７４が４５度ごとに外周部２１２に配置される。
【００８０】
図１３Ｄに示す対向電極体３８０の突起部材３８４は、輪郭が略台形状であり、略台形状の板をくりぬいたり、３つの線状の部材を組み合わせたりして形成することができる。８つの突起部材３８４が４５度ごとに外周部２１２に配置される。
【００８１】
図１３Ａ〜図１３Ｄに示す対向電極体３５０〜３８０の突起部材の内側端部２１６を仮想的に滑らかに結ぶことで、仮想円Ｃを形成することができる。
【００８２】
即ち、くりぬいた板状の突起部材の輪郭の形状を、扇形状の頂点を直線にて切断したような形状としてもよいし、長方形状の形状としてもよい。くりぬいた板状の突起部材の輪郭は、直線の組み合わせや曲線の組み合わせや直線及び曲線の組み合わせにすることができる。また、突起部材の形状が線状であるものとくりぬいた板状であるものとを組み合わせた対向電極体としてもよい。
【００８３】
また、図１１及び図１２に示した複数の扇形状の突起部材の内部をくりぬいた形状の突起部材を有する対向電極体としてもよい。例えば、図１４Ａ〜図１４Ｄに示すような対向電極体３９０〜４２０の突起部材の形状にすることができる。いずれも、突起部材は、隣り合う線状の部材を連結することで、略扇形状の輪郭を有する。
【００８４】
図１４Ａに示す対向電極体３９０は、５つの突起部材３９４を有し、突起部材３９４は、隣り合う線状の部材を連結することで、略扇形状の輪郭を有する。
【００８５】
図１４Ｂに示す対向電極体４００は、１０個の突起部材４０４を有し、突起部材４０４は、隣り合う線状の部材を連結することで、略扇形状の輪郭を有する。
【００８６】
図１４Ｃに示す対向電極体４１０は、１６個の突起部材４１４を有し、突起部材４１４は、隣り合う線状の部材を連結することで、略扇形状の輪郭を有する。
【００８７】
図１４Ｄに示す対向電極体４２０は、３６個の突起部材４１４を有し、突起部材４１４は、隣り合う線状の部材を連結することで、略扇形状の輪郭を有する。
【００８８】
図１４Ａ〜図１４Ｄに示す対向電極体３６０〜４２０の突起部材の内側端部２１６を仮想的に滑らかに結ぶことで、仮想円Ｃを形成することができる。
【００８９】
＜＜第４種の対向電極体＞＞
また、図１５に示すように、対向電極体４３０は、４つの突起部材４３７が周方向に沿って９０度ごとに配置されている。突起部材４３７は、線状部材４３７ａと内側円弧状部材４３７ｂと外側円弧状部材４３７ｃとを有する。線状部材４３７ａは、直線状の形状を有し、半径方向に沿って配置される。内側円弧状部材４３７ｂは、円弧状の形状を有し、線状部材４３７ａの内側端部２１６に配置されている。外側円弧状部材４３７ｃは、円弧状の形状を有し、線状部材４３７ａの略中間に配置されている。
【００９０】
４つの突起部材４３７の各々に設けられた内側円弧状部材４３７ｂは、それぞれ９０度間隔で互いに離隔して配置されている。４つの内側円弧状部材４３７ｂを結ぶことで、対向電極体４３０と同一平面上に仮想円Ｃ１を形成することができる。同様に、４つの外側円弧状部材４３７ｃも、それぞれ９０度間隔で互いに離隔して配置されている。４つの外側円弧状部材４３７ｃを結ぶことで、対向電極体４３０と同一平面上に仮想円Ｃ２を形成することができる。外側円弧状部材４３７ｃで形成された仮想円Ｃ２の直径は、内側円弧状部材４３７ｂで形成された仮想円Ｃ１の直径よりも長い。仮想円Ｃ１及びＣ２は、同心状に配置される。
【００９１】
また、内側円弧状部材４３７ｂと外側円弧状部材４３７ｃとは、中心Ｏを中心にした平面角θが等しくなるように形成されている。すなわち、外側円弧状部材４３７ｃの円弧方向に沿った長さは、内側円弧状部材４３７ｂの円弧方向に沿った長さよりも長い。
【００９２】
図１５に示す対向電極体４３０では、４個の内側円弧状部材４３７ｂの各々が、放電電極体１５０（図１参照）との距離が最も短く位置し、コロナ放電が最も生じやすい。さらに、４個の外側円弧状部材４３７ｃの各々は、放電電極体１５０との距離が、４個の内側円弧状部材４３７ｂよりも長く、放電電極体１５０から離れて位置し、コロナ放電は生じにくい。しかしながら、外側円弧状部材４３７ｃの円弧方向の長さが、内側円弧状部材４３７ｂの円弧方向の長さよりも長く形成されており、いずれかの箇所でコロナ放電が生じやすくできる。
【００９３】
４個の内側円弧状部材４３７ｂによってコロナ放電を選択的に生じさせてオゾンを間欠的に生じさせる。さらに、４個の外側円弧状部材４３７ｃによってコロナ放電を生じさせることで、イオン風の量を補完することができ、対向電極体４３０の全体で生ずるイオン風の量を維持することができる。
【００９４】
図１６Ａに示す対向電極体４４０では、８つの突起部材４３７が周方向に沿って４５度ごとに配置されている。この場合も、８個の内側円弧状部材４３７ｂによってコロナ放電を選択的に生じさせてオゾンを間欠的に生じさせる。さらに、８個の外側円弧状部材４３７ｃによってコロナ放電を生じさせることで、イオン風の量を補完することができ、対向電極体４４０の全体で生ずるイオン風の量を維持することができる。
【００９５】
図１６Ｂに示す対向電極体４５０も、８つの突起部材４３７が周方向に沿って４５度ごとに配置されている。突起部材４３７は、線状部材４３７ａと内側円弧状部材４３７ｂと第１の外側円弧状部材４３７ｃと第２の外側円弧状部材４３７ｄとを有する。
【００９６】
８つの内側円弧状部材４３７ｂは、それぞれ４５度間隔で互いに離隔して配置されている。８つの内側円弧状部材４３７ｂを結ぶことで、対向電極体４５０と同一平面上に仮想円Ｃ１を形成することができる。
【００９７】
８つの第１の外側円弧状部材４３７ｃは、それぞれ４５度間隔で互いに離隔して配置されている。８つの第１の外側円弧状部材４３７ｃを結ぶことで、対向電極体４５０と同一平面上に仮想円Ｃ２を形成することができる。
【００９８】
８つの第２の外側円弧状部材４３７ｄは、それぞれ４５度間隔で互いに離隔して配置されている。８つの第２の外側円弧状部材４３７ｄを結ぶことで、対向電極体４５０と同一平面上に仮想円Ｃ３を形成することができる。
【００９９】
この場合も、８個の内側円弧状部材４３７ｂによってコロナ放電を選択的に生じさせてオゾンを間欠的に生じさせる。さらに、８個の第１の外側円弧状部材４３７ｃと８個の第２の外側円弧状部材４３７ｄとによってコロナ放電を生じさせることで、イオン風の量をさらに補完することができ、対向電極体４５０の全体で生ずるイオン風の量を維持することができる。
【０１００】
第１の外側円弧状部材４３７ｃで形成された仮想円Ｃ２の直径は、内側円弧状部材４３７ｂで形成された仮想円Ｃ１の直径よりも長い。また、第２の外側円弧状部材４３７ｄで形成された仮想円Ｃ３の直径は、第１の外側円弧状部材４３７ｃで形成された仮想円Ｃ２の直径よりも長い。仮想円Ｃ１、Ｃ２及びＣ３は、同心状に配置される。
【０１０１】
さらに、図１６Ｃに示す対向電極体４６０のように、円弧状部材４３７ｂの形状を直線状にするとともに幅を太くしてもよい。
【０１０２】
４個の内側円弧状部材４３７ｂによってコロナ放電を選択的に生じさせてオゾンを間欠的に生じさせる。さらに、４個の外側円弧状部材４３７ｃによってコロナ放電を生じさせることで、イオン風の量を補完することができ、放電電極体の全体で生ずるイオン風の量を維持することができる。
【０１０３】
図１７Ａに示す対向電極体４７０は、８つの突起部材４７７が周方向に沿って９０度ごとに配置されている。突起部材４７７は、線状部材４７７ａと内側円弧状部材４７７ｂと第１の外側環状部材４７７ｃと第２の外側環状部材４７７ｄとを有する。
【０１０４】
線状部材４７７ａは、直線状の形状を有し、半径方向に沿って配置される。内側円弧状部材４７７ｂは、円弧状の形状を有し、線状部材４７７ａの内側端部２１６に配置される。
【０１０５】
第１の外側環状部材４７７ｃと第２の外側環状部材４７７ｄは、環状の形状を有する。第１の外側環状部材４７７ｃによって、対向電極体４３０と同一平面上に仮想円Ｃ２を形成することができる。第２の外側環状部材４７７ｄによって、対向電極体４７０と同一平面上に仮想円Ｃ３を形成することができる。
【０１０６】
この場合も、８個の内側円弧状部材４３７ｂによってコロナ放電を選択的に生じさせてオゾンを間欠的に生じさせる。さらに、第１の外側環状部材４７７ｃと第２の外側環状部材４７７ｄとのいずれかの箇所でコロナ放電を生じさせることで、イオン風の量をさらに補完することができ、対向電極体４７０の全体で生ずるイオン風の量を維持することができる。
【０１０７】
第１の外側環状部材４７７ｃで形成された仮想円Ｃ２の直径は、内側円弧状部材４３７ｂで形成された仮想円Ｃ１の直径よりも長い。また、第２の外側環状部材４７７ｄで形成された仮想円Ｃ３の直径は、第１の外側環状部材４７７ｃで形成された仮想円Ｃ２の直径よりも長い。仮想円Ｃ１、Ｃ２及びＣ３は、同心状に配置される。
【０１０８】
図１７Ｂに示す対向電極体４８０は、１６つの突起部材４７７が周方向に沿って２２．５度ごとに配置されている。突起部材４７７は、線状部材４７７ａと環状部材４７７ｂとを有する。
【０１０９】
線状部材４７７ａは、直線状の形状を有し、半径方向に沿って配置される。線状部材４７７ａは、内側端部２１６を有する。環状部材４７７ｂは、環状の形状を有する。
【０１１０】
線状部材４７７ａの内側端部２１６によって、対向電極体４８０と同一平面上に仮想円Ｃ１を形成することができる。環状部材４７７ｂによって、対向電極体４８０と同一平面上に仮想円Ｃ２を形成することができる。
【０１１１】
この場合も、１６個の内側端部２１６によってコロナ放電を選択的に生じさせてオゾンを間欠的に生じさせる。さらに、環状部材４７７ｂのいずれかの箇所でコロナ放電を生じさせることで、イオン風の量をさらに補完することができ、対向電極体４８０の全体で生ずるイオン風の量を維持することができる。
【０１１２】
環状部材４７７ｂで形成された仮想円Ｃ２の直径は、１６個の内側端部２１６で形成された仮想円Ｃ１の直径よりも長い。仮想円Ｃ１及びＣ２は、同心状に配置される。
【０１１３】
＜＜第５種の対向電極体＞＞
以上のように、１つの対向電極体の構成について詳述したが、図１８Ａ及び図１８Ｂに示すように、対向電極体の個数は限定されない。例えば、図１８Ａに示す対向電極体５００のように、７つの対向電極体２９０を全て等しい形状（径の等しい略環状）としている。そして、第２対向電極体２９０ｂが、第１対向電極体２９０ａの外周部に沿って且つ相互に隣接して配置されている。
【０１１４】
より具体的には、略正六角形状を仮定した際に、６つの第２対向電極体２９０ｂの中心が当該略正六角形状の各頂点を成すように、夫々が隣接するように第２対向電極体２９０ｂを設ける。第１対向電極体２９０ａを、第２対向電極体２９０ｂの夫々に更に接するよう、即ち、第２対向電極体２９０ｂによって仮定された略正六角形状の中心に配されるように設けるものとして定義することができる。なお、第２対向電極体２９０ｂは、必ずしも隣り合う対向電極と隣接していなくてもよく、近接している状態でもよいが、あまりに離隔し過ぎていると、発生するイオン風の風量が低下してしまう。そのため、各第２対向電極体２９０ｂは、隣り合う対向電極体の外周間の距離、特に、最短となる距離が、第２対向電極体２９０ｂの直径以下、又は、或いは直径の１／ｎ以下；ｎは自然数であることが好適である。また、第１対向電極体２９０ａは、必ずしも全ての第２対向電極体２９０ｂと接していなくてもよく、近接している状態でも良いが、第２対向電極体２９０ｂの少なくとも一部と接していることが好適である。その場合においても、外周間の最短となる距離が第１対向電極体２９０ａや第２対向電極体２９０ｂの直径以下或いは直径の１／ｎ以下；ｎは自然数であることが好適である。
【０１１５】
さらに、図１８Ｂに示すように、４つの対向電極体２９０を横方向に並べ、３つの対向電極体２９０を縦方向に並べ、合計で１２個の対向電極体２９０を平面内に配置するようにしてもよい。
【０１１６】
＜＜放電電極体１５０＞＞
次に、本発明の放電電極体１５０に係る構成に関して説明する。
【０１１７】
本実施の形態に係る放電電極体１５０は、上述した各種の対向電極体とコロナ放電が発生する限り、その形状や数や大きさなどは特に限定されない。例えば、放電電極体１５０は、単一の針状の形状を有する電極体にすることができる。
【０１１８】
さらに、単一のみならず、複数の針状の形状を有する電極体としてもよい。対向電極体の数や形状や配置に応じて、コロナ放電が発生しやすい位置に複数の針状の各々が位置するようにすればよい。例えば、図１８Ａに示す例では、７個の対向電極体２９０の各々の中心に向かうように７本の針状の形状を有する電極体を配置すればよい。また、図１８Ｂに示す例では、１２個の対向電極体２９０の各々の中心に向かうように１２本の針状の形状を有する電極体を配置すればよい。
【０１１９】
針状の形状を有する場合には、先端を尖らせたものが好ましい。先端を尖らせることで、放電させやすくできる。
【０１２０】
また、放電電極体１５０として、針状の形状を有する電極体でなく、円板状や環状の形状を有する電極体を用いてもよい。
【０１２１】
円板状や環状の形状を有する場合には、外周側を尖らせたものが好ましい。すなわち、厚さが外側に向かって徐々に薄くなるようにナイフエッジ状（鋭角をなす形状）に形成されているのが好ましい。外周側を尖らせることで、外周のあらゆる箇所で放電させやすくでき、放電効率を高めることができる。
【０１２２】
さらに、環状の形状を有する場合には、細い金属線などで環状に形成してもよい。ピアノ線などの細い金属線などの導電体を用いることで、ナイフエッジ状に形成した場合と同様に、外周のあらゆる箇所で放電させやすくでき、放電効率を高めることができる。
【０１２３】
放電電極体１５０によって定まる軸線と、対向電極体によって定まる軸線とが一致するように互いを配置するのが好ましい。放電しやすい箇所を増やし放電効率を高めることができる。
【０１２４】
上述したように、放電電極体１５０は、所定の方向に沿って延在する軸線を画定できる形状や配置や数を有すればよい。例えば、放電電極体１５０が長尺な形状を有する場合には、長手方向を軸線の方向にすればよい。また、放電電極体１５０が対称性を有する場合には、対称軸を放電電極体１５０の軸線とすることができる。対称性は、線対称や点対称や回転対称などにすることができる。例えば、円板状の形状や環状の形状を有する場合には、中心や重心を通過するとともに円板や環が含まれる平面に対して垂直に延在する軸を軸線にすればよい。
【０１２５】
さらに、軸線は、放電電極体１５０の中心などを通過する必要はなく、偏った位置に存在する軸であっても、放電電極体１５０の外形や配置の特徴と関連する軸であればよい。
【０１２６】
このように、放電電極体１５０は、軸線を画定できる形状や配置を有すればよく、特定の形状や数などに限定されない。
【０１２７】
＜＜仮想円Ｃの形成とコロナ放電＞＞
上述したように、コロナ放電は、対向電極体２１０〜５１０で発生する。対向電極体２１０〜５１０は、内側端部２１６を有し、コロナ放電のしやすさは、内側端部２１６の形状によって定まる。
【０１２８】
＜内側端部２１６が鋭角に形成されている場合＞
図１９に示すように、内側端部２１６が鋭角に形成されている場合には、鋭角に形成された先端部Ｐの箇所が、放電電極体１５０との距離が最も短くなり、内側端部２１６の先端部Ｐ以外の箇所は、放電電極体１５０との距離が長くなる。このような内側端部２１６の形状と、放電電極体１５０からの距離との関係から、コロナ放電は、先端部Ｐで最も発生しやくすなり、先端部Ｐ以外の箇所では、先端部Ｐよりも発生しにくくなる。具体的には、先端部Ｐから離れて放電電極体１５０との距離が長くなるに従ってコロナ放電は生じにくくなる。
【０１２９】
このように、内側端部２１６の形状を鋭角に形成することで、先端部Ｐでコロナ放電を選択的に生じさせることができる。先端部Ｐでコロナ放電を生じさせやすくすることで、オゾンも先端部Ｐの近くで発生しやすくなる。
【０１３０】
内側端部２１６の形状を鋭角に形成した場合には、図１９に示すように、内側端部２１６の各々の先端部Ｐを仮想的に滑らかに結ぶことで、中心Ｏを有する仮想円Ｃを形成することができる。仮想円Ｃの円周上の全ての位置が、放電電極体１５０と等距離となるが、仮想円Ｃの円周上で突起部材２１４などが存在する箇所は、先端部Ｐのみである。このため、仮想円Ｃの円周上では、コロナ放電が生ずる箇所は、先端部Ｐのみであり、オゾンを間欠的に発生させることになり、オゾンの濃度を低減させることができる。
【０１３１】
＜内側端部２１６が凸状に湾曲した形状を有する場合＞
図２０に示すように、内側端部２１６が凸状に湾曲した形状を有する場合には、湾曲した箇所のうち最も突出した突出部Ｐの箇所が、放電電極体１５０との距離が最も短くなり、内側端部２１６の突出部Ｐ以外の箇所は、放電電極体１５０との距離が長くなる。このような内側端部２１６の形状と、放電電極体１５０からの距離との関係から、コロナ放電は、突出部Ｐで最も発生しやくすなり、突出部Ｐ以外の箇所では、突出部Ｐよりも発生しにくくなる。具体的には、突出部Ｐから離れて放電電極体１５０との距離が長くなるに従ってコロナ放電は生じにくくなる。
【０１３２】
このように、内側端部２１６の形状を凸状に湾曲した形状に形成することで、突出部Ｐでコロナ放電を選択的に生じさせることができる。突出部Ｐでコロナ放電を生じさせやすくすることで、オゾンも突出部Ｐの近くで発生しやすくなる。
【０１３３】
内側端部２１６の形状を凸状に湾曲した形状に形成した場合には、図２０に示すように、内側端部２１６の各々の突出部Ｐを仮想的に滑らかに結ぶことで、中心Ｏを有する仮想円Ｃを形成することができる。仮想円Ｃの円周上の全ての位置が、放電電極体１５０と等距離となるが、仮想円Ｃの円周上で突起部材２１４などが存在する箇所は、突出部Ｐのみである。このため、仮想円Ｃの円周上で、コロナ放電が生ずる箇所は、突出部Ｐのみであり、オゾンを間欠的に発生させることになり、オゾンの濃度を低減させることができる。
【０１３４】
＜内側端部２１６が平坦面である場合＞
図２１に示すように、内側端部２１６が平坦面で形成されている場合には、平坦面に含まれる所定の箇所でコロナ放電が生じやすくなる。たとえば、内側端部２１６の２つの端部Ａでコロナ放電が生じたり、平坦面の中点Ｍでコロナ放電が生じたりする。２つの端部Ａは、略直角に形成されており、２つの端部Ａの周辺では、コロナ放電が生じやすい電場が生成される。また、平坦面の中点Ｍは、放電電極体１５０との距離が最も短くなり、内側端部２１６の中点Ｍ以外の箇所は、放電電極体１５０との距離が長くなる。
【０１３５】
このように、コロナ放電は、２つの端部Ａや中点Ｍで発生しやくすなり、端部Ａや中点Ｍ以外の箇所では、発生しにくくなる。具体的には、端部Ａや中点Ｍから離れて放電電極体１５０との距離が長くなるに従ってコロナ放電は生じにくくなる。
【０１３６】
このように、内側端部２１６の形状を平坦面で形成することで、端部Ａや中点Ｍなどでコロナ放電を生じさせることができる。端部Ａや中点Ｍでコロナ放電を生じさせやすくすることで、オゾンも端部Ａや中点Ｍの近くで発生しやすくなる。
【０１３７】
内側端部２１６の形状を平坦面で形成した場合には、図２１に示すように、内側端部２１６の各々の２つの端部Ａを仮想的に滑らかに結ぶことで、中心Ｏを有する仮想円Ｃを形成することができる。仮想円Ｃの円周上で突起部材２１４などが存在する箇所は、端部Ａである。このため、仮想円Ｃの円周上で、コロナ放電が生ずる箇所は、端部Ａであり、端部Ａでオゾンを間欠的に発生させることになり、オゾンの濃度を低減させることができる。
【０１３８】
なお、２つの端部Ａではなく、内側端部２１６の各々の中点Ｍを仮想的に滑らかに結ぶことで仮想円Ｃを形成してもよい。仮想円Ｃは、コロナ放電が最も生ずる箇所を含むようにして形成すればよい。
【０１３９】
また、コロナ放電が、端部Ａと中点Ｍとの双方で生じても、オゾンは、間欠的に発生し、オゾンの濃度を低減させることができる。
【０１４０】
＜内側端部２１６が凹状に湾曲した形状である場合＞
図２２に示すように、内側端部２１６が凹状に湾曲して球面の一部の形状である場合には、湾曲面Ｓの全体が、放電電極体１５０との距離が最も短くなり、内側端部２１６の湾曲面Ｓ以外の箇所は、放電電極体１５０との距離が長くなる。このような内側端部２１６の形状と、放電電極体１５０からの距離との関係から、コロナ放電は、湾曲面Ｓのいずれかの箇所で発生しやくすなり、湾曲面Ｓ以外の箇所では、湾曲面Ｓよりも発生しにくくなる。具体的には、湾曲面Ｓから離れて放電電極体１５０との距離が長くなるに従ってコロナ放電は生じにくくなる。
【０１４１】
このように、内側端部２１６の形状を凹状に湾曲して球面の一部の形状に形成することで、湾曲面Ｓでコロナ放電を選択的に生じさせることができる。湾曲面Ｓでコロナ放電を生じさせやすくすることで、オゾンも湾曲面Ｓで発生しやすくなる。
【０１４２】
内側端部２１６の形状を凹状に湾曲して球面の一部の形状に形成した場合には、図２２に示すように、内側端部２１６の各々の湾曲面Ｓを仮想的に滑らかに結ぶことで、中心Ｏを有する仮想円Ｃを形成することができる。仮想円Ｃの円周上の全ての位置が、放電電極体１５０と等距離となるが、仮想円Ｃの円周上で突起部材２１４などが存在する箇所は、湾曲面Ｓのみである。このため、仮想円Ｃの円周上で、コロナ放電が生ずる箇所は、湾曲面Ｓのみであり、オゾンを間欠的に発生させることになり、オゾンの濃度を低減させることができる。
【０１４３】
＜＜＜第２の実施の形態＞＞＞
上述した第１の実施の形態に係るイオン風発生装置１１０においては、放電電極体１５０と対向電極体２１０などの一方の面（前面）とが対向しており、対向電極体２１０などの一方の面（前面）側から対向電極体２１０などの他方の面（背面）側に向かってイオン風が発生する構成に関して説明した。このように、前面側から背面側に向かうように全体的にある一方向へ流れを有するイオン風とすることにより、より遠くまでイオン風を拡散させることが可能である。しかしながら、ある空間でおおよそ半径方向に沿って広がるように（３６０°に亘って）イオン風を拡散させたい場合には、第１の実施の形態に係るイオン風発生装置１１０とは異なる構造とすることが好適な場合がある。
【０１４４】
以下、このようなイオン風発生装置を、第２の実施の形態として説明する。本発明に係るイオン風発生装置１２０は、図２３〜図２５に示すように、放電電極体１６０と、複数の突起部材６１４を有する環状の対向電極体６１０とからなる。放電電極体１６０と、環状の対向電極体６１０とは同心状に配置される。
【０１４５】
ここで、複数の突起部材６１４は、隣接する突起部材６１４の、対向電極体６１０の環中心側の先端である内側端部６１６同士を仮想的に滑らかに結ぶことで、対向電極体６１０の中心部に、対向電極体６１０と同一平面上に仮想円Ｃが形成される。
【０１４６】
図２３〜図２５に示すように、第２の実施の形態の放電電極体１６０及び１７０は、円板状の形状を有する。放電電極体１６０の外周部は、厚さが外側に向かって徐々に薄くなるようにエッジ状（鋭角をなす形状）に形成されている。放電電極体１６０のエッジ状の外周部から放電することができる。
【０１４７】
第２の実施の形態の対向電極体６１０、６２０及び６３０は、主に、第１の実施の形態における第２種の対向電極体を用いる。なお、第２の実施の形態の対向電極体６１０、６２０及び６３０として、第１の実施の形態における第１種、第３種又は第４種の対向電極体を用いてもよい。
【０１４８】
＜対向電極体６１０＞
図２３に示すように、対向電極体６１０は、板状の突起部材６１４を有し、突起部材６１４は、略台形状の形状を有する。なお、第１の実施の形態で説明したように、突起部材６１４は、板状の形状を有すればよく、長方形状の形状や扇形状の形状などの各種の形状にすることができる。略台形状の突起部材６１４は、環状の外周部２１２の周方向に沿って設けられている。
【０１４９】
図２３に示す放電電極体１６０と対向電極体６１０とを用いることによって、放電電極体１６０の外周部と、突起部材６１４の内側端部６１６との間で選択的にコロナ放電を生じさせることができる。このように、コロナ放電を生じさせることで、放電電極体１６０及び対向電極体６１０の半径方向に沿って広がるようにイオン風を拡散させることができる。
【０１５０】
また、図２３Ｂに示すように、第２の実施の形態の対向電極体６１０は、複数枚が重ねられている。図２３Ｂに示す例では、６枚の対向電極体６１０が重ねて設けられている。このようにすることで、放電電極体１６０の外周部と６枚の対向電極体６１０のいずれかの突起部材６１４の内側端部６１６との間で選択的にコロナ放電を生じさせることができる。コロナ放電が発生する箇所を適宜に調整することができ、所望する量となるようにイオン風Ｗを拡散させることができる。
【０１５１】
＜仮想円Ｃとオゾン濃度の低減＞
図２３Ａに示すように、内側端部６１６が凹状に湾曲して球面の一部の形状である場合には、湾曲面Ｓの全体が、放電電極体１６０との距離が最も短くなり、内側端部６１６の湾曲面Ｓ以外の箇所は、放電電極体１６０との距離が長くなる。このような内側端部６１６の形状と、放電電極体１６０からの距離との関係から、コロナ放電は、湾曲面Ｓのいずれかの箇所で発生しやくすなり、湾曲面Ｓ以外の箇所では、湾曲面Ｓよりも発生しにくくなる。具体的には、湾曲面Ｓから離れて放電電極体１６０との距離が長くなるに従ってコロナ放電は生じにくくなる。
【０１５２】
このように、内側端部６１６の形状を凹状に湾曲して球面の一部の形状に形成することで、湾曲面Ｓでコロナ放電を選択的に生じさせることができる。湾曲面Ｓでコロナ放電を生じさせやすくすることで、オゾンも湾曲面Ｓで発生しやすくなる。
【０１５３】
内側端部６１６の形状を凹状に湾曲して球面の一部の形状に形成した場合には、図２３Ａに示すように、内側端部６１６の各々の湾曲面Ｓを仮想的に滑らかに結ぶことで、仮想円Ｃを形成することができる。仮想円Ｃの円周上の全ての位置が、放電電極体１６０と等距離となるが、仮想円Ｃの円周上で突起部材６１４などが存在する箇所は、湾曲面Ｓのみである。このため、仮想円Ｃの円周上で、コロナ放電が生ずる箇所は、湾曲面Ｓのみであり、オゾンを間欠的に発生させることになり、オゾンの濃度を低減させることができる。
【０１５４】
＜対向電極体６２０＞
図２４に示すように、対向電極体６２０は、板状の突起部材６１４を有し、突起部材６１４は、略台形状の突起部材６１４ａと略半長円状の突起部材６１４ｂとを有する。略台形状の突起部材６１４ａと略半長円状の突起部材６１４ｂとは、環状の外周部２１２の周方向に沿って交互に設けられている。
【０１５５】
さらに、放電電極体１７０の外周部１７２には、外側に向かって突出する複数の突出部１７４が周方向に沿って形成されている。突出部１７４の先端から放電することができる。
【０１５６】
図２４に示す放電電極体１７０と対向電極体６２０とを用いることによって、放電電極体１７０の外周部１７２の突出部１７４の先端と、突起部材６１４ａ及び６１４ｂの内側端部６１６との間で選択的にコロナ放電を生じさせることができる。このように、コロナ放電を生じさせることで、放電電極体１７０及び対向電極体６２０の半径方向に沿って広がるようにイオン風Ｗを拡散させることができる。
【０１５７】
また、図２４Ｂに示すように、第２の実施の形態の対向電極体６２０は、複数枚が重ねられている。図２４Ｂに示す例では、６枚の対向電極体６２０が重ねて設けられている。このようにすることで、放電電極体１７０の突出部１７４の先端と６枚の対向電極体６２０のいずれかの突起部材６１４ａ及び６１４ｂの内側端部６１６との間で選択的にコロナ放電を生じさせることができる。コロナ放電が発生する箇所を適宜に調整することができ、所望する量となるようにイオン風Ｗを拡散させることができる。
【０１５８】
＜仮想円Ｃとオゾン濃度の低減＞
図２４Ａに示すように、突起部材６１４は、略台形状の突起部材６１４ａと略半長円状の突起部材６１４ｂとを有する。
【０１５９】
コロナ放電は、突起部材６１４ａの平坦面に含まれる所定の箇所で生じやすくなる。たとえば、突起部材６１４ａの２つの端部Ａでコロナ放電が生じたり、平坦面の中点Ｍなどでコロナ放電が生じたりする。２つの端部Ａは、略直角に形成されており、２つの端部Ａの周辺では、コロナ放電が生じやすい電場が生成される。また、平坦面の中点Ｍは、放電電極体１７０との距離が最も短くなり、突起部材６１４ａの中点Ｍ以外の箇所は、放電電極体１７０との距離が長くなる。
【０１６０】
このように、コロナ放電は、２つの端部Ａや中点Ｍで発生しやくすなり、端部Ａや中点Ｍ以外の箇所では、発生しにくくなる。具体的には、端部Ａや中点Ｍから離れて放電電極体１７０との距離が長くなるに従ってコロナ放電は生じにくくなる。
【０１６１】
このように、突起部材６１４ａの形状を平坦面で形成することで、端部Ａや中点Ｍなどでコロナ放電を生じさせることができる。端部Ａや中点Ｍでコロナ放電を生じさせやすくすることで、オゾンも端部Ａや中点Ｍの近くで発生しやすくなる。
【０１６２】
図２４Ａに示すように、突起部材６１４ａの各々の２つの端部Ａを仮想的に滑らかに結ぶことで、中心Ｏを有する仮想円Ｃを形成することができる。仮想円Ｃの円周上で突起部材２１４などが存在する箇所は、端部Ａである。このため、仮想円Ｃの円周上で、コロナ放電が生ずる箇所は、端部Ａであり、端部Ａでオゾンを間欠的に発生させることになり、オゾンの濃度を低減させることができる。
【０１６３】
さらに、コロナ放電は、突起部材６１４ｂの最も突出した突出部Ｐの箇所でも生じやすい。コロナ放電が、端部Ａだけでなく、中点Ｍや突出部Ｐで生じても、オゾンは、間欠的に発生し、オゾンの濃度を低減させることができる。
【０１６４】
さらにまた、放電電極体１７０は、突出部１７４を有しており、突出部１７４との距離によってもコロナ放電のしやすさが決定されるが、オゾンを間欠的に発生させて、オゾンの濃度を低減させることは同様である。
【０１６５】
＜対向電極体６３０＞
図２５に示すように、対向電極体６３０は、板状の突起部材６１４を有し、突起部材６１４は、略扇形状の形状を有する。略扇形状の突起部材６１４は、環状の外周部２１２の周方向に沿って設けられている。
【０１６６】
図２５に示す放電電極体１６０と対向電極体６３０とを用いることによって、放電電極体１６０の外周部と、略扇形状の突起部材６１４の内側端部６１６との間で間欠的（選択的）にコロナ放電を生じさせることができる。このように、コロナ放電を生じさせることで、放電電極体１６０及び対向電極体６３０の半径方向に沿って広がるようにイオン風Ｗを拡散させることができる。
【０１６７】
＜仮想円Ｃとオゾン濃度の低減＞
図２５Ａに示すように、内側端部６１６が鋭角に形成されている場合には、鋭角に形成された先端部Ｐの箇所が、放電電極体１６０との距離が最も短くなり、内側端部６１６の先端部Ｐ以外の箇所は、放電電極体１６０との距離が長くなる。このような内側端部６１６の形状と、放電電極体１６０からの距離との関係から、コロナ放電は、先端部Ｐで最も発生しやくすなり、先端部Ｐ以外の箇所では、先端部Ｐよりも発生しにくくなる。具体的には、先端部Ｐから離れて放電電極体１６０との距離が長くなるに従ってコロナ放電は生じにくくなる。
【０１６８】
このように、内側端部６１６の形状を鋭角に形成することで、先端部Ｐでコロナ放電を選択的に生じさせることができる。先端部Ｐでコロナ放電を生じさせやすくすることで、オゾンも先端部Ｐの近くで発生しやすくなる。
【０１６９】
内側端部６１６の形状を鋭角に形成した場合には、図２５Ａに示すように、内側端部２１６の各々の先端部Ｐを仮想的に滑らかに結ぶことで、仮想円Ｃを形成することができる。仮想円Ｃの円周上の全ての位置が、放電電極体１６０と等距離となるが、仮想円Ｃの円周上で突起部材６１４などが存在する箇所は、先端部Ｐのみである。このため、仮想円Ｃの円周上では、コロナ放電が生ずる箇所は、先端部Ｐのみであり、オゾンを間欠的に発生させることになり、オゾンの濃度を低減させることができる。
【０１７０】
さらに、第２の実施の形態においても、環状の対向電極体６１０、６２０又は６３０における内側端部６１６と、放電電極体１６０又は１７０との間でコロナ放電が発生すると、対向電極体６１０、６２０又は６３０の内側端部６１６で発生したイオン風は、対向電極体６１０、６２０又は６３０における放電電極体１６０又は１７０と対向しない側に放出され、対向電極体６１０、６２０又は６３０における放電電極体１６０又は１７０と対向しない側に負圧が発生する。負圧が発生した空間に向かって、対向電極体６１０、６２０又は６３０の周囲を取り巻く空気が吸引され、吸引された空気によって、対向電極体６１０、６２０又は６３０における放電電極体１６０又は１７０と対向しない側に押し出されるイオン風の風力を増大させることができる。
【０１７１】
以上説明した第２の実施の形態に係るイオン風発生装置１２０は、換言すれば、第１の実施の形態に係るイオン風発生装置１１０において、放電電極体１６０又は１７０の形状を、対向電極体２１０〜４８０における仮想円Ｃの径よりも小さい径となる環状とし、対向電極体２１０〜４８０が存在する平面により近接させた構成とすることができる。したがって、第２の実施の形態における対向電極体６１０、６２０又は６３０の形状は、前述した第１の実施の形態における対向電極体２１０〜４８０の形状と同様の形状することができる。
【０１７２】
＜＜＜第３の実施の形態＞＞＞
以上、環状を成すような対向電極体において、その形状を特定のものとすることでイオン風中に含まれるオゾンの発生を低減可能な別の形態として、第１の実施の形態に係るイオン風発生装置１１０及び第２の実施の形態に係るイオン風発生装置１２０について詳述したが、次に、対向電極体が環状を成さない場合について、第３の実施の形態に係るイオン風発生装置１３０として説明する。
【０１７３】
上述した例では、対向電極体である受電極の電極体の形状が略環状の形状を有する場合を示した。受電極の電極体の形状は、直線状の形状を有するものでもよい。この場合には、受電極の電極体の形状に応じて、放電極の電極体の形状も直線状の形状を有するものでもよい。
【０１７４】
本発明に係るイオン風発生装置１３０は、図２６Ａ及び図２６Ｂに示すように、端部が直線状に形成された放電電極体１８０と、複数の突起部材７１４が直線状に配置された対向電極体７００又は７１０とからなる。放電電極体１８０と、直線状の対向電極体７００又は７１０とは互いに向かい合うように配置される。
【０１７５】
放電電極体１８０は、薄板状でかつ、対向電極体７００又は７１０と向かい合う面が直線状に形成されている。対向電極体７００又は７１０と向かい合う面は、厚さが外側に向かって徐々に薄くなるようにナイフエッジ状（鋭角をなす形状）に形成されているのが好ましい。対向電極体７００又は７１０と向かい合う面側を尖らせることで、あらゆる箇所で放電させやすくでき、放電効率を高めることができる。
【０１７６】
放電電極体１８０は、薄板状ではなく、細い金属線などで直線状の導電体で形成してもよい。ピアノ線などの細い金属線を用いることで、ナイフエッジ状に形成した場合と同様に、あらゆる箇所で放電させやすくでき、放電効率を高めることができる。
【０１７７】
ここで、複数の突起部材７１４は、隣り合う突起部材７１４の端部７１６を仮想的に結ぶことで、対向電極体７００又は７１０と同一平面上に仮想直線Ｌが形成される。
【０１７８】
＜対向電極体７００＞
図２６Ａに示すように、対向電極体７００は、板状の突起部材７１４を有し、突起部材７１４は、略台形状の形状を有する。なお、第１の実施の形態で説明したように、突起部材７１４は、板状の形状を有すればよく、長方形状の形状や扇形状の形状などの各種の形状にすることができる。
【０１７９】
図２６Ａに示す放電電極体１８０と対向電極体７００とを用いることによって、放電電極体１８０の端部と、突起部材７１４の端部７１６との間で間欠的（選択的）にコロナ放電を生じさせることができる。このように、コロナ放電を生じさせることで、放電電極体１８０から対向電極体７００に向かって帯状にイオン風が移動するように発生させることができる。
【０１８０】
また、図２６Ａに示すように、第３の実施の形態の対向電極体７００は、複数枚が重ねられている。図２６Ａに示す例では、６枚の対向電極体７００が重ねて設けられている。このようにすることで、放電電極体１８０の外周部と６枚の対向電極体７００のいずれかの突起部材７１４の端部７１６との間で（間欠的）選択的にコロナ放電を生じさせることができる。コロナ放電が発生する箇所を適宜に調整することができ、所望する量となるようにイオン風Ｗを拡散させることができる。
【０１８１】
＜仮想直線Ｌとオゾン濃度の低減＞
図２６Ａに示すように、端部７１６が平坦面で形成されている場合には、平坦面に含まれる所定の箇所でコロナ放電が生じやすくなる。たとえば、端部７１６の２つの端部Ａでコロナ放電が生ずる。２つの端部Ａの周辺では、コロナ放電が生じやすい電場が生成される。また、２つの端部Ａは、放電電極体１８０との距離が最も短くなり、端部７１６の２つの端部Ａ以外の箇所は、放電電極体１８０との距離が長くなる。
【０１８２】
このように、コロナ放電は、２つの端部Ａで発生しやくすなり、端部Ａ以外の箇所では、発生しにくくなる。具体的には、端部Ａから離れて放電電極体１８０との距離が長くなるに従ってコロナ放電は生じにくくなる。
【０１８３】
このように、端部７１６の形状を平坦面で形成することで、端部Ａなどでコロナ放電を生じさせることができる。端部Ａでコロナ放電を生じさせやすくすることで、オゾンも端部Ａの近くで発生しやすくなる。
【０１８４】
端部７１６の形状を平坦面で形成した場合には、図２６Ａに示すように、端部７１６の各々の２つの端部Ａを仮想的に滑らかに結ぶことで、仮想直線Ｌを形成することができる。仮想直線Ｌ上で、コロナ放電が生ずる箇所は、端部Ａであり、端部Ａでオゾンを間欠的に発生させることになり、オゾンの濃度を低減させることができる。
【０１８５】
＜対向電極体７１０＞
図２６Ｂに示すように、対向電極体７１０は、板状の突起部材７１４を有し、突起部材７１４は、略半長円状の形状を有する。
【０１８６】
図２６Ｂに示す放電電極体１８０と対向電極体７１０とを用いることによって、放電電極体１８０の端部と、略半長円状の突起部材７１４の端部７１６との間で（間欠的）選択的にコロナ放電を生じさせることができる。このように、コロナ放電を生じさせることで、放電電極体１８０から対向電極体７１０向かって細い帯状にイオン風が移動するようにを発生させることができる。
【０１８７】
また、図２６Ｂに示すように、第３の実施の形態の対向電極体７１０は、複数枚が重ねられている。図２６Ｂに示す例では、６枚の対向電極体７１０が重ねて設けられている。このようにすることで、放電電極体１８０の外周部と６枚の対向電極体７１０のいずれかの突起部材７１４の端部７１６との間で間欠的（選択的）にコロナ放電を生じさせることができる。コロナ放電が発生する箇所を適宜に調整することができ、所望する量となるようにイオン風Ｗを拡散させることができる。
【０１８８】
＜仮想直線Ｌとオゾン濃度の低減＞
図２６Ｂに示すように、端部７１６が凸状に湾曲した形状を有する場合には、湾曲した箇所のうち最も突出した突出部Ｐの箇所が、放電電極体１８０との距離が最も短くなり、端部７１６の突出部Ｐ以外の箇所は、放電電極体１８０との距離が長くなる。このような端部７１６の形状と、放電電極体１８０からの距離との関係から、コロナ放電は、突出部Ｐで最も発生しやくすなり、突出部Ｐ以外の箇所では、突出部Ｐよりも発生しにくくなる。具体的には、突出部Ｐから離れて放電電極体１８０との距離が長くなるに従ってコロナ放電は生じにくくなる。
【０１８９】
このように、端部７１６の形状を凸状に湾曲した形状に形成することで、突出部Ｐでコロナ放電を選択的に生じさせることができる。突出部Ｐでコロナ放電を生じさせやすくすることで、オゾンも突出部Ｐの近くで発生しやすくなる。
【０１９０】
端部７１６の形状を凸状に湾曲した形状に形成した場合には、図２６Ｂに示すように、端部７１６の各々の突出部Ｐを仮想的に滑らかに結ぶことで、仮想直線Ｌを形成することができる。仮想直線Ｌの全ての位置が、放電電極体１８０と等距離となるが、仮想直線Ｌで突起部材７１４などが存在する箇所は、突出部Ｐのみである。このため、端部７１６上で、コロナ放電が生ずる箇所は、突出部Ｐのみであり、オゾンを間欠的に発生させることになり、オゾンの濃度を低減させることができる。
【符号の説明】
【０１９１】
１１０  イオン風発生装置１１０
１５０  放電電極体
２１０  対向電極体
２７０  対向電極体
３２０  対向電極体
４３０  対向電極体
６１０  対向電極体
７００  対向電極体
【図１】
2017183089.tif 000003
【図２】
2017183089.tif 000004
【図３】
2017183089.tif 000005
【図４】
2017183089.tif 000006
【図５】
2017183089.tif 000007
【図６】
2017183089.tif 000008
【図７】
2017183089.tif 000009
【図８】
2017183089.tif 000010
【図９】
2017183089.tif 000011
【図１０】
2017183089.tif 000012
【図１１】
2017183089.tif 000013
【図１２】
2017183089.tif 000014
【図１３】
2017183089.tif 000015
【図１４】
2017183089.tif 000016
【図１５】
2017183089.tif 000017
【図１６】
2017183089.tif 000018
【図１７】
2017183089.tif 000019
【図１８】
2017183089.tif 000020
【図１９】
2017183089.tif 000021
【図２０】
2017183089.tif 000022
【図２１】
2017183089.tif 000023
【図２２】
2017183089.tif 000024
【図２３】
2017183089.tif 000025
【図２４】
2017183089.tif 000026
【図２５】
2017183089.tif 000027
【図２６】
2017183089.tif 000028
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
放電部を有する放電電極体と、環状の外周部と前記外周部から延在する複数の突起部とを備え、前記複数の突起部の各々が非端部と前記非端部とは異なる端部とを有する対向電極体とからなる電極対を備え、前記放電部と前記対向電極体との間に電位差を発生させてコロナ放電によりイオン・オゾン風を発生させるイオン・オゾン風発生装置であって、
前記複数の突起部の端部は、単一の平面内において互いに離隔して位置し、かつ、前記平面内において前記放電電極体の軸線を周回し、
前記放電電極体の前記放電部は、前記単一の平面とは異なる位置に配置され、
前記複数の突起部の端部は、
前記放電部との距離が前記非端部よりも短く、
コロナ放電が前記非端部よりも生じやすく、
前記複数の突起部の端部と前記放電部との距離に基づくコロナ放電の生じやすさと、前記非端部と前記放電部との距離に基づくコロナ放電の生じやすさと、により前記対向電極体の全体として発生するオゾン濃度を低減させるイオン・オゾン風発生装置。
【請求項２】
放電部を有する放電電極体と、環状の外周部と前記外周部から延在する複数の突起部とを備え、前記複数の突起部の各々が非端部と前記非端部とは異なる端部とを有する対向電極体とからなる電極対を備え、前記放電部と前記対向電極体との間に電位差を発生させてコロナ放電によりイオン・オゾン風を発生させるイオン・オゾン風発生装置であって、
前記複数の突起部の端部は、単一の平面内において互いに離隔して位置し、かつ、前記平面内において放電電極体の軸線を周回して配置され、
前記放電電極体の前記放電部は、前記単一の平面とは異なる位置に配置され、
前記複数の突起部の各々は、前記対向電極体の中心に向かって延在し、
前記複数の突起部の各々の長さは、前記対向電極体の中心を基準とした当該対向電極体の半径の少なくとも半分以上であるイオン・オゾン風発生装置。
【請求項３】
前記放電電極体の前記放電部は、前記単一の平面とは異なる位置に配置され、
前記複数の突起部の各々は、前記対向電極体の中心に向かって延在し、
前記複数の突起部の各々の長さは、前記対向電極体の中心を基準とした当該対向電極体の半径の少なくとも半分以上である請求項１に記載のイオン・オゾン風発生装置。
【請求項４】
前記対向電極体の中心は、前記放電電極体の軸線上に位置する請求項２又は３に記載のイオン・オゾン風発生装置。
【請求項５】
送風機が設けられていない請求項１又は２に記載のイオン・オゾン風発生装置。
【請求項６】
前記複数の突起部のうちの隣り合う突起部が、周方向に沿って４５度間隔又は９０度間隔で互いに離隔して配置される請求項１又は２に記載のイオン・オゾン風発生装置。
【請求項７】
前記複数の突起部の端部は、一の円周上に沿って位置する請求項１又は２に記載のイオン・オゾン風発生装置。
【請求項８】
前記放電電極体は、針状電極体を有する請求項１又は２に記載のイオン・オゾン風発生装置。
【請求項９】
放電部を有する放電電極体と、直線状の外辺部と前記外辺部から延在する複数の突起部とを備え、前記複数の突起部の各々が非端部と前記非端部とは異なる端部とを有する対向電極体とからなる電極対を備え、前記放電部と前記対向電極体との間に電位差を発生させてコロナ放電によりイオン・オゾン風を発生させるイオン・オゾン風発生装置であって、
前記複数の突起部の端部は、単一の平面内において互いに離隔して位置し、
前記複数の突起部と前記放電部とが互いに向かい合うように配置されており、
前記複数の突起部の各々は、前記外辺部から離隔する方向に延在しているイオン・オゾン風発生装置。
【請求項１０】
前記複数の突起部の端部は、
前記放電部との距離が前記非端部よりも短く、
コロナ放電が前記非端部よりも生じやすく、
前記複数の突起部の端部と前記放電部との距離に基づくコロナ放電の生じやすさと、前記非端部と前記放電部との距離に基づくコロナ放電の生じやすさと、により前記対向電極体の全体として発生するオゾン濃度を低減させる請求項９に記載のイオン・オゾン風発生装置。
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
放電部を有する放電電極体と、環状の外周部と前記外周部から延在する複数の突起部とを備え、前記複数の突起部の各々が非端部と前記非端部とは異なる端部とを有する対向電極体とからなる電極対を備え、前記放電部と前記対向電極体との間に電位差を発生させてコロナ放電によりイオン・オゾン風を発生させるイオン・オゾン風発生装置であって、
前記複数の突起部の端部は、単一の平面内において互いに離隔して位置し、かつ、前記平面内において前記放電電極体の軸線を周回し、
前記放電電極体の前記放電部は、前記単一の平面とは異なる位置に配置され、
前記複数の突起部は、短手方向又は円周方向に沿って延在する領域を有し、
前記複数の突起部の端部は、
前記放電部との距離が前記非端部よりも短く、
コロナ放電が前記非端部よりも生じやすく、
前記複数の突起部の端部と前記放電部との距離に基づくコロナ放電の生じやすさと、前記非端部と前記放電部との距離に基づくコロナ放電の生じやすさと、により前記対向電極体の全体として発生するオゾン濃度を低減させるイオン・オゾン風発生装置。
【請求項２】
放電部を有する放電電極体と、環状の外周部と前記外周部から延在する複数の突起部とを備え、前記複数の突起部の各々が非端部と前記非端部とは異なる端部とを有する対向電極体とからなる電極対を備え、前記放電部と前記対向電極体との間に電位差を発生させてコロナ放電によりイオン・オゾン風を発生させるイオン・オゾン風発生装置であって、
前記複数の突起部の端部は、単一の平面内において互いに離隔して位置し、かつ、前記平面内において放電電極体の軸線を周回して配置され、
前記放電電極体の前記放電部は、前記単一の平面とは異なる位置に配置され、
前記複数の突起部の各々は、前記対向電極体の中心に向かって延在し、
前記複数の突起部の各々の長さは、前記対向電極体の中心を基準とした当該対向電極体の半径の少なくとも半分以上であるイオン・オゾン風発生装置。
【請求項３】
前記放電電極体の前記放電部は、前記単一の平面とは異なる位置に配置され、
前記複数の突起部の各々は、前記対向電極体の中心に向かって延在し、
前記複数の突起部の各々の長さは、前記対向電極体の中心を基準とした当該対向電極体の半径の少なくとも半分以上である請求項１に記載のイオン・オゾン風発生装置。
【請求項４】
前記対向電極体の中心は、前記放電電極体の軸線上に位置する請求項２又は３に記載のイオン・オゾン風発生装置。
【請求項５】
送風機が設けられていない請求項１又は２に記載のイオン・オゾン風発生装置。
【請求項６】
前記複数の突起部のうちの隣り合う突起部が、周方向に沿って４５度間隔又は９０度間隔で互いに離隔して配置される請求項１又は２に記載のイオン・オゾン風発生装置。
【請求項７】
前記複数の突起部の端部は、一の円周上に沿って位置する請求項１又は２に記載のイオン・オゾン風発生装置。
【請求項８】
前記放電電極体は、針状電極体を有する請求項１又は２に記載のイオン・オゾン風発生装置。
【請求項９】
放電部を有する放電電極体と、直線状の外辺部と前記外辺部から延在する複数の突起部とを備え、前記複数の突起部の各々が非端部と前記非端部とは異なる端部とを有する対向電極体とからなる電極対を備え、前記放電部と前記対向電極体との間に電位差を発生させてコロナ放電によりイオン・オゾン風を発生させるイオン・オゾン風発生装置であって、
前記複数の突起部の端部は、単一の平面内において互いに離隔して位置し、
前記放電部は、前記複数の突起部と向かい合う側が薄板状でかつナイフエッジ状又は直線状の導電体で形成されており、
前記複数の突起部の各々は、前記外辺部から離隔する方向に延在しているイオン・オゾン風発生装置。
【請求項１０】
前記複数の突起部の端部は、
前記放電部との距離が前記非端部よりも短く、
コロナ放電が前記非端部よりも生じやすく、
前記複数の突起部の端部と前記放電部との距離に基づくコロナ放電の生じやすさと、前記非端部と前記放電部との距離に基づくコロナ放電の生じやすさと、により前記対向電極体の全体として発生するオゾン濃度を低減させる請求項９に記載のイオン・オゾン風発生装置。